(57)【要約】【課題】水晶やトルマリンやゲルマニウムや各種宝石のような塊状の鉱物類を愛好し、入浴中にもこれらの塊状の鉱物類を身近に置き、かつ顔や身体の洗浄の際にもこれらの塊状の鉱物類からの視覚面や触覚面その他の良好な影響を受けたいと願う愛好家の要望に応えることを課題とする。【解決手段】ドーナツ状、多角形板状、星型等様々な形態の固形石鹸に直径１ｍｍ〜２０ｍｍの大きさの水晶やトルマリンやゲルマニウムや各種宝石を埋設した鉱物塊入り固形石鹸を提供する。鉱物塊は、担持枠を介して埋設されていても良いし、鉱物塊の一部が露出されていても良い。【選択図】        図１
2006328283.tif 000002
【特許請求の範囲】
【請求項１】
固形石鹸に直径１ｍｍ〜２０ｍｍの大きさの鉱物塊を埋設したことを特徴とする鉱物塊入り固形石鹸。
【請求項２】
環状で外周に１以上の突起を有する担持枠の中央に直径１ｍｍ〜２０ｍｍの大きさの鉱物塊が嵌着された状態で、該担持枠の１以上の突起が固形石鹸に埋設された状態にあることを特徴とする鉱物塊入り固形石鹸。
【請求項３】
鉱物塊の一部が固形石鹸の表面に露出されていることを特徴とする請求項１あるいは請求項２に記載の鉱物塊入り固形石鹸。
【請求項４】
鉱物塊の形状が略球形であり、固形石鹸の形状がドーナツ型であり、固形石鹸のドーナツ型形状の孔の部分に鉱物塊が埋設されていることを特徴とする請求項３に記載の鉱物塊入り固形石鹸。
【請求項５】
鉱物塊の形状が略球形であり、固形石鹸の形状が中央に孔を有する多角形の板状であり、固形石鹸の中央の孔の部分に鉱物塊が埋設されていることを特徴とする請求項３に記載の鉱物塊入り固形石鹸。
【請求項６】
鉱物塊の形状が略球形であり、固形石鹸の形状が中央に孔を有する星形の板状であり、固形石鹸の中央の孔の部分に鉱物塊が埋設されていることを特徴とする請求項３に記載の鉱物塊入り固形石鹸。
【請求項７】
鉱物塊の形状が略球形であり、固形石鹸の形状が中央に孔を有するハート形の板状であり、固形石鹸の中央の孔の部分に鉱物塊が埋設されていることを特徴とする請求項３に記載の鉱物塊入り固形石鹸。
【請求項８】
鉱物塊の形状が略球形であり、固形石鹸の形状が中央に孔を有する卵形の板状であり、固形石鹸の中央の孔の部分に鉱物塊が埋設されていることを特徴とする請求項３に記載の鉱物塊入り固形石鹸。
【請求項９】
鉱物塊の形状が略球形であり、固形石鹸の形状が中央に孔を有する各種の動物形の板状であり、固形石鹸の中央の孔の部分に鉱物塊が埋設されていることを特徴とする請求項３に記載の鉱物塊入り固形石鹸。
【請求項１０】
鉱物塊が、水晶、トルマリンを含有する鉱物、ゲルマニウムを含有する鉱物、各種の宝石類のいずれかであることを特徴とする請求項１あるいは請求項２あるいは請求項３あるいは請求項４あるいは請求項５あるいは請求項６あるいは請求項７あるいは請求項８あるいは請求項９に記載の鉱物塊入り固形石鹸。
【発明の詳細な説明】
【技術分野】
【０００１】
本発明は、固形石鹸に直径１ｍｍ〜２０ｍｍの大きさの鉱物塊を埋設したことを特徴とする鉱物塊入り固形石鹸であり、環状で外周に１以上の突起を有する担持枠の中央に直径１ｍｍ〜２０ｍｍの大きさの鉱物塊が嵌着された状態で、該担持枠の１以上の突起が固形石鹸に埋設された状態でも良く、鉱物塊の一部が固形石鹸の表面に露出されていても良い。また、鉱物塊の形状は略球状を主体とするが、多面体状その他各種の形状を取り得る。固形石鹸の形状はドーナツ型、多角形の板状、星型の板状、ハート型の板状、卵型の板状、各種の動物型の板状等の各種形状が考えられる。さらに、鉱物塊としては、水晶、トルマリンを含有する鉱物、ゲルマニウムを含有する鉱物、各種の宝石類等が考えられる。
【背景技術】
【０００２】
従来、鉱物類の粉末を含有する石鹸や化粧料はすでに存在する。たとえば、下記特許文献１に記載の化粧料はその一例である。すなわち、下記特許文献１に記載の化粧料は、結晶構造と透明性を有する無機物を粉砕して得られる無機粉末とパール顔料を含有することを特徴とする化粧料であり、好ましくは、結晶構造と透明性を有する無機物が、石英、合成石英、水晶、アメジスト、エメラルド、サファイア、ルビー、ガーネット、ルチルから選ばれ、それを粉砕して得られた無機粉末の平均一次粒子径が３〜２０μｍの範囲であるとされている。そして、その効果は、小じわやキメの隠蔽効果、肌のしみやくすみのぼかし効果に優れ、さらに自然なつやを有する肌に近い質感の化粧塗膜が得られ、肌色がきれいに見え、感触にも優れる化粧料が得られるとされている。
【０００３】
また、トルマリンが人体に与える生理的影響を検討する実験も行われている（下記非特許文献１参照）。この実験は、被験者に、トルマリン微粉末を５％混入したレーヨンと綿の混紡糸で編まれた肌着（シャツ）と、同素材でトルマリン微粉末を混入していない混紡糸で編まれた肌着（シャツ）を着用させて皮膚温を測定するもので、胸部など躯幹部において、トルマリン微粉末を混入した肌着（シャツ）の方が、皮膚温が高くなったことが報ぜられている。
【特許文献１】特開２００４‐２６６５６号公報
【非特許文献１】京都教育大学編「京都教育大学紀要Ｂ（自然科学）：Ｎｏ．１００」、京都教育大学発行、平成１４年３月３１日
【発明の開示】
【発明が解決しようとする課題】
【０００４】
上記のように、鉱物類の粉末を、石鹸や化粧水に混入させたり、また肌着や靴下等の着衣の素材に含有させたりすることは既に行われていて、一定の効果も確認されている。しかしながら、鉱物類を塊状の状態で石鹸や化粧水に混入させたり、肌着や靴下等の着衣に用いるという例はこれまで見られなかった。塊状の鉱物は、例えば水晶やトルマリンのペンダントのように、装飾品として、あるいは、塊状のままで飲料水や風呂の水等に浸漬させる等の用い方しかされてこなかったのである。
【０００５】
一方、塊状の鉱物類を愛好し、常に身に着けていたい、あるいは身近に置いておきたいと願う人は多い。上記水晶のペンダントが愛好されたり、塊状の水晶やトルマリンやゲルマニウムを浸漬させた水を飲料や風呂の水として用いるという例がこれである。塊状の水晶やトルマリンやゲルマニウムが人体に及ぼす良好な影響については様々な説があって一定しないが、愛好家にとっては少なくとも精神的に重要な癒し効果を持っているということだけは言い得る。
【０００６】
したがって、本発明においては、塊状の鉱物類を愛好し、常に身に着けていたい、あるいは身近に置いておきたいと願う愛好家のために、石鹸に塊状の鉱物類を埋設した鉱物塊入り固形石鹸を開発し、これを上記愛好家に提供するということを課題とした。
【０００７】
この際に、愛好家にとっては鉱物類の形態や固形石鹸の形態、埋設の位置等が使用時の感覚や感触の点から極めて重要な要素になるので、この点を重視することとした。また、視覚的要素も大切であり、さらに塊状の鉱物類が固形石鹸内部に完全に埋設されているのか、それとも一部が露出されているのかという点も大きな要素となる。特に、一部が露出されている場合には、塊状の鉱物類が肌に直接触れる可能性があるため、その形態は大いに問題となる。
【０００８】
あるいは、固形石鹸は、使用に従い徐々に溶解してその形が縮小していくものであるため、この点からも塊状の鉱物類の埋設場所や形態が問題となる。またさらに、塊状の鉱物類が固形石鹸から容易に脱落しないためのなんらかの構成を考える必要がある場合も出てくると考えられる。
【０００９】
そして、最後に、固形石鹸が消尽された場合には、塊状の鉱物類のみが残ることとなるので、残った塊状の鉱物類をそのまま装飾品として用いたり、あるいは加工して身に着ける物品や身の回りの物品の一部として用いることができれば、愛好家にとっては塊状の鉱物類を永久に楽しめることとなるので大変都合が良い。
【課題を解決するための手段】
【００１０】
本発明は上記の諸課題を解決するためになされたものであって、以下に示す手段を提供するものである。
＜解決手段１＞
固形石鹸に直径１ｍｍ〜２０ｍｍの大きさの鉱物塊を埋設したことを特徴とする鉱物塊入り固形石鹸。
＜解決手段２＞
環状で外周に１以上の突起を有する担持枠の中央に直径１ｍｍ〜２０ｍｍの大きさの鉱物塊が嵌着された状態で、該担持枠の１以上の突起が固形石鹸に埋設された状態にあることを特徴とする鉱物塊入り固形石鹸。
＜解決手段３＞
鉱物塊の一部が固形石鹸の表面に露出されていることを特徴とする解決手段１あるいは解決手段２に記載の鉱物塊入り固形石鹸。
＜解決手段４＞
鉱物塊の形状が略球形であり、固形石鹸の形状がドーナツ型であり、固形石鹸のドーナツ型形状の孔の部分に鉱物塊が埋設されていることを特徴とする解決手段３に記載の鉱物塊入り固形石鹸。
＜解決手段５＞
鉱物塊の形状が略球形であり、固形石鹸の形状が中央に孔を有する多角形の板状であり、固形石鹸の中央の孔の部分に鉱物塊が埋設されていることを特徴とする解決手段３に記載の鉱物塊入り固形石鹸。
＜解決手段６＞
鉱物塊の形状が略球形であり、固形石鹸の形状が中央に孔を有する星形の板状であり、固形石鹸の中央の孔の部分に鉱物塊が埋設されていることを特徴とする解決手段３に記載の鉱物塊入り固形石鹸。
＜解決手段７＞
鉱物塊の形状が略球形であり、固形石鹸の形状が中央に孔を有するハート形の板状であり、固形石鹸の中央の孔の部分に鉱物塊が埋設されていることを特徴とする解決手段３に記載の鉱物塊入り固形石鹸。
＜解決手段８＞
鉱物塊の形状が略球形であり、固形石鹸の形状が中央に孔を有する卵形の板状であり、固形石鹸の中央の孔の部分に鉱物塊が埋設されていることを特徴とする解決手段３に記載の鉱物塊入り固形石鹸。
＜解決手段９＞
鉱物塊の形状が略球形であり、固形石鹸の形状が中央に孔を有する各種の動物形の板状であり、固形石鹸の中央の孔の部分に鉱物塊が埋設されていることを特徴とする解決手段３に記載の鉱物塊入り固形石鹸。
＜解決手段１０＞
鉱物塊が、水晶、トルマリンを含有する鉱物、ゲルマニウムを含有する鉱物、各種の宝石類のいずれかであることを特徴とする解決手段１あるいは解決手段２あるいは解決手段３あるいは解決手段４あるいは解決手段５あるいは解決手段６あるいは解決手段７あるいは解決手段８あるいは解決手段９に記載の鉱物塊入り固形石鹸。
【発明の効果】
【００１１】
本発明の、解決手段１の発明によれば、固形石鹸に直径１ｍｍ〜２０ｍｍの大きさの鉱物塊を埋設したので、鉱物塊の愛好家においては、入浴時に、鉱物塊が常に肌近くにあることを意識しつつ該固形石鹸を用いることができるので、精神的に快適な入浴を楽しむことができる。特に、該固形石鹸が透明又は半透明の場合には、鉱物塊を視認しつつ用いることができるので、精神に与えられる快感がさらに増加する。
【００１２】
本発明の、解決手段２の発明によれば、環状で外周に１以上の突起を有する担持枠の中央に直径１ｍｍ〜２０ｍｍの大きさの鉱物塊が嵌着された状態で、該担持枠の１以上の突起が固形石鹸に埋設された状態にあることを特徴とする鉱物塊入り固形石鹸であるので、鉱物塊の一部が露出されている場合、あるいは鉱物塊が固形石鹸の表層近くに埋設されている場合にても、鉱物塊が固形石鹸から脱落するのを防止することができる。また、固形石鹸が消尽されて鉱物塊の多くの部分が露出した状態となっても、鉱物塊が固形石鹸から脱落するのを防止することができる。
【００１３】
本発明の、解決手段３の発明によれば、鉱物塊の一部が固形石鹸の表面に露出されているので、固形石鹸の透明性にかかわらず、愛好家は常に鉱物塊を視認しつつ鉱物塊入り固形石鹸を用いることができる。また、鉱物塊を肌に直接触れ得る状態にて使用することも可能となる。
【００１４】
本発明の、解決手段４から解決手段９の発明によれば、鉱物塊の形状が略球形であるので、鉱物塊の一部が固形石鹸の表面に露出されている状態でも、鉱物塊の露出された一部が肌に非常に滑らかに接触するので快適に使用することができる。
【００１５】
本発明の、解決手段４から解決手段９の発明によれば、固形石鹸の形状が多種多用に亘るので、固形石鹸の形状そのものを楽しみつつ使用することが可能である。
【００１６】
本発明の、解決手段１０の発明において、鉱物塊が水晶である場合には、水晶をことさら好む愛好家にとっては入浴中身体や顔を洗う場合に、極めて身近に水晶を感じることができ、さらには鉱物塊の一部が露出されている場合には、水晶を肌と接触させることもできるので、極めて快適に身体や顔の洗浄を行うことが可能である。
【００１７】
本発明の、解決手段１０の発明において、鉱物塊がトルマリンを含有する鉱物である場合には、トルマリンをことさら好む愛好家にとっては入浴中身体や顔を洗う場合に、極めて身近にトルマリンを感じることができ、さらには鉱物塊の一部が露出されている場合には、トルマリンを肌と接触させることもできるので、極めて快適に身体や顔の洗浄を行うことが可能である。
【００１８】
本発明の、解決手段１０の発明において、鉱物塊がゲルマニウムを含有する鉱物である場合には、ゲルマニウムをことさら好む愛好家にとっては入浴中身体や顔を洗う場合に、極めて身近にゲルマニウムを感じることができ、さらには鉱物塊の一部が露出されている場合には、ゲルマニウムを肌と接触させることもできるので、極めて快適に身体や顔の洗浄を行うことが可能である。
【００１９】
本発明の、解決手段１０の発明において、鉱物塊が各種の宝石類である場合には、各種の宝石類をことさら好む愛好家にとっては入浴中身体や顔を洗う場合に、極めて身近に各種の宝石類を感じることができ、さらには鉱物塊の一部が露出されている場合には、各種の宝石類を肌と接触させることもできるので、極めて快適に身体や顔の洗浄を行うことが可能である。
【発明を実施するための最良の形態】
【００２０】
本発明を実施するための最良の形態を、図面を参照しながら詳細に説明する。なお、以下に説明する実施例１は解決手段１、３、４、１０に記載の発明の１実施例、実施例２は解決手段１、３、５、１０に記載の発明の１実施例、実施例３は解決手段２〜４及び解決手段１０に記載の発明の１実施例、実施例４は解決手段１、３、５〜１０に記載の発明の１実施例である。
【実施例１】
【００２１】
図１ａは実施例１の鉱物塊入り固形石鹸１の平面図、図１ｂは実施例１の鉱物塊入り固形石鹸１の正面図、図２は図１ａのＡ−Ａ線縦断面図である。また、図３は実施例１の鉱物塊入り固形石鹸１の外観斜視図である。
【００２２】
実施例１の鉱物塊入り固形石鹸１はドーナツ形状の固形石鹸１１の中心の孔１３に図２に示すような状態で球形の鉱物塊１２を嵌着して成るもので、孔１３の上辺１３ａ、下辺１３ｂは鉱物塊１２の直径よりやや小に構成されている。したがって、鉱物塊１２が孔１３から脱落することがない。
【００２３】
実施例１の鉱物塊入り固形石鹸１においては固形石鹸１１の直径は７０ｍｍ、厚さは２５ｍｍ、鉱物塊１２の直径は１２ｍｍであるが、固形石鹸１１の直径は、使い易さという点からいえば４０ｍｍ〜９０ｍｍ程度が、また厚さは２０〜３０ｍｍ程度が適当であろう。
【００２４】
また、鉱物塊１２の直径は、固形石鹸１１のサイズに応じて１〜２０ｍｍの範囲内とすることが望ましい。なお、鉱物塊１２の形状は球形としているが、他の形態をとることもできる。すなわち、楕円体、多面体、半球状、卵型等さまざまな形態をとることが可能である。
【００２５】
さらに、固形石鹸１１は透明でも半透明でも不透明でも良いが、鉱物塊１２の埋設された部分も外側から視認し得るようにしたければ、という点からすれば、透明あるいは半透明であることが望ましい。また、彩色は、任意の彩色が可能であることは当然のことである。
【００２６】
なお、鉱物塊１２の直径は、もともと厳密に数値限定を行う必要はないものであるが、直径が１ｍｍを下回ると、塊状というよりは粒状に近いものとなり、愛好家にとっては、１塊の鉱物としてはいかにも物足りない印象となる。逆に直径が２０ｍｍを越えるようであると、固形石鹸１１の直径及び厚さを相当に大きくしなければならず、全体として使いずらく、重量も重いものとなってしまう。また、鉱物塊１２が脱落する可能性も高くなる。したがって、使用に耐える範囲として１〜２０ｍｍの範囲内としたが、実際には５〜１５ｍｍ程度が適切であると考えられる。
【００２７】
鉱物塊１２の種類としては、水晶、トルマリンを含有する鉱物、ゲルマニウムを含有する鉱物、各種の宝石類のいずれかとする。特に、水晶、トルマリンを含有する鉱物、ゲルマニウムを含有する鉱物は、夫々、これらの鉱物を常に身に着けていたいという愛好家が多いものである故に、これら３種類の鉱物を選定したものであるが、これ以外の鉱物を用いても全く問題はない。また、各種の宝石類においてもやはり夫々の宝石において愛好家は多い。さらに、鉱物とはいえないが、真珠や珊瑚も宝石類の一種として当然用いることができる。
【００２８】
鉱物塊１２の種類として例えば水晶を選択する場合には、透明水晶、紫水晶（アメシストあるいはアメジスト）、黄水晶（シトリン）、黒水晶（モリオンあるいはブラッククォーツ）、煙水晶（スモーキークォーツ）、紅水晶（ローズクォーツ）、緑水晶（グリーンクォーツ）、針水晶（ルチルクォーツあるいはルチルクリスタル）、幻影水晶（ファントムクォーツあるいはファントムクリスタル）、庭園水晶（ガーデンクォーツあるいはガーデンクリスタル）等、各種の水晶を用いることができる。
【００２９】
また、鉱物塊１２の種類として例えばトルマリンを含有する鉱物を選択する場合には、まず、トルマリン鉱石をそのまま球状に加工して使用することができる。トルマリンは、宝石素材の中では最もカラーバリエーションが豊富なことで知られており、緑色（トルマリーナベルジィ）、青（トルマリーナアズー）、ピンク（トルマリーナホーザ）、赤（トルマリーナピリッタ）、褐色（トルマリーナフォン）、黒（トルマリーナプレット）等があるので、固形石鹸１１の色彩に合わせて、各種の選択が可能である。さらに、粉末状のトルマリンを含有するセラミックスを球状に加工したものを用いても良い。
【００３０】
さらに、鉱物塊１２の種類として例えばゲルマニウムを含有する鉱物を選択する場合には、粉末状のゲルマニウムを含有するセラミックスを球状に加工したもの等を用いることができる。そして、鉱物塊１２の種類として各種の宝石類を用いる場合には、ダイアモンド、サファイア、ルビー、エメラルド、トパーズ、メノウ、真珠や珊瑚その他の宝石類を用いることが可能である。
【実施例２】
【００３１】
図４ａは実施例２の鉱物塊入り固形石鹸２の平面図、図４ｂは実施例２の鉱物塊入り固形石鹸２の外観斜視図である。実施例２の鉱物塊入り固形石鹸２は、やや厚みのある６角板状の固形石鹸２１の中心に穿設された孔２３ａに図４ｂに示すような状態で球形の鉱物塊２２を嵌着して成るもので、孔２３ａの上部周辺には皿状の凹部２３ｂが形成されている。また、孔２３ａの下部周辺にも、図示しないが同様の凹部が形成されている。孔２３ａの上辺と下辺は実施例１同様鉱物塊２２の直径よりやや小に構成されているので、鉱物塊２２が孔２３ａから脱落することがない。            
【００３２】
実施例２の鉱物塊入り固形石鹸２においては固形石鹸２１の最大幅は７０ｍｍ、厚さは２０ｍｍ、鉱物塊２２の直径は１２ｍｍであるが、固形石鹸２１のサイズと鉱物塊２２の直径に関しては、実施例１と同様の数値限定を行うことができる。また、固形石鹸２１は、実施例１同様透明でも半透明でも不透明でも良いが、鉱物塊２２の埋設された部分も視認し得るという点からすれば、透明あるいは半透明であることが望ましい。また、彩色も、当然任意の彩色が可能である
【００３３】
鉱物塊２２の種類としては、実施例１同様、水晶、トルマリンを含有する鉱物、ゲルマニウムを含有する鉱物、各種の宝石類のいずれかとするが、真珠や珊瑚も宝石類の一種として当然用いることができる。水晶、トルマリンを含有する鉱物、ゲルマニウムを含有する鉱物、各種の宝石類に関する詳細は、実施例１と同じである。
【実施例３】
【００３４】
図５ａは実施例３の鉱物塊入り固形石鹸３の平面図、図５ｂは実施例３の鉱物塊入り固形石鹸３の担持枠３３の平面図、図６は図５ａのＢ―Ｂ線縦断面図、図７は担持枠３３の一部を欠截した外観斜視図である。
【００３５】
実施例３の鉱物塊入り固形石鹸３は、ドーナツ形状の固形石鹸３１の中心の孔３１ａに、図６に示すように担持枠３３を介して球形の鉱物塊３２を固着して構成されている。すなわち、担持枠３３が固形石鹸３１の中心の孔３１ａの周辺部に埋設された形となり、この担持枠３３に鉱物塊３２が嵌着されることによって、結果的に固形石鹸３１の中心の孔３１ａに鉱物塊３２が、一部を露出した形態で埋設固着されている。したがって、固形石鹸３１が不透明の場合には、外観上は実施例１と同一に見える。
【００３６】
実施例３の鉱物塊入り固形石鹸３においては固形石鹸３１の最大幅は７０ｍｍ、厚さは２５ｍｍ、鉱物塊３２の直径は１２ｍｍであるが、固形石鹸３１のサイズと鉱物塊３２の直径に関しては、実施例１と同様の数値限定を行うことができる。また、固形石鹸３１は、実施例１同様透明でも半透明でも不透明でも良い。さらに、彩色も、当然任意の彩色が可能である。
【００３７】
鉱物塊３２の種類としては、実施例１同様、水晶、トルマリンを含有する鉱物、ゲルマニウムを含有する鉱物、各種の宝石類のいずれかとするが、真珠や珊瑚も宝石類の一種として当然用いることができる。水晶、トルマリンを含有する鉱物、ゲルマニウムを含有する鉱物、各種の宝石類に関する詳細は、実施例１と同じである。
【００３８】
担持枠３３は、図５ｂ、図６、図７に見るように、環状の本体３３ａに８本の滑らかな突起ｔ、ｔ、…が本体３３ａと一体に突出され、環状の本体３３ａの内側壁３３ｂは鉱物塊３２が隙間無く嵌着される形態とサイズに構成されている。担持枠３３の上辺３３ｃと下辺３３ｄは鉱物塊３２の直径よりやや小に構成されているので、嵌着された鉱物塊３２が脱落することはない。なお、突起ｔ、ｔ、…は担持枠３３においては８本であるが、１本以上の任意の本数を採ることができる。また、突起ｔ、ｔ、…を全く欠いていてもある程度の作用（鉱物塊３２を固形石鹸３１に固着させる作用）を果たすことは可能である。
【００３９】
担持枠３３は軟質の合成樹脂からなっているので、鉱物塊３２を内側壁３３ｂに嵌着させる場合には、上辺３３ｃあるいは下辺３３ｄから鉱物塊３２を押し込むだけで良い。即ち、鉱物塊３２の押圧力によって上辺３３ｃあるいは下辺３３ｄが拡径されて鉱物塊３２は内側壁３３ｂに嵌着されるものである。また、鉱物塊３２を脱抜する際にも、鉱物塊３２の上部を強く下方に押し込むか、下部を強く上方に押し込むかすれば、鉱物塊３２の押圧力によって上辺３３ｃあるいは下辺３３ｄが拡径されて鉱物塊３２は内側壁３３ｂから脱抜される。
【００４０】
担持枠３３は透明でも半透明でも不透明でも良いし、また任意の色彩にて彩色が可能である。固形石鹸３１が透明又は半透明の場合に担持枠３３を透明又は半透明とすれば、鉱物塊３２の全体が外部から視認可能であるし、担持枠３３もあまり目立たず、鉱物塊入り固形石鹸３の外観は実施例１の鉱物塊入り固形石鹸１の外観に近づく。また、担持枠３３の星型の形態を目立たせたい場合には、固形石鹸３１が透明又は半透明とし、担持枠３３を不透明とすれば良い。
【００４１】
担持枠３３の作用は以下のとおりである。すなわち、鉱物塊３２は、担持枠３３に嵌着されることにより、より強固に固形石鹸３１に固着されるので、担持枠３３を用いない実施例１の場合に比較すれば、特に固形石鹸３１の消尽が進んだ段階においても、鉱物塊３２の脱落を防止することができる。
【００４２】
該作用は、担持枠３３の突起ｔ、ｔ、…が固形石鹸３１内部に食い込んでいることにより強化されるので、突起ｔの長さτが大であればあるほど該作用は強力となる。しかしながら、あまりに突起ｔの長さτが大となると固形石鹸３１が少し消尽された段階で固形石鹸３１の表面から突起ｔの先端部が突出してくることとなるので、使用上極めて不都合である。
【００４３】
叙上の事情からすれば、突起ｔの長さτは、鉱物塊３２の直径の３分の１程度から鉱物塊３２の直径と同程度とするのが適当であろう。ちなみに、実施例３においては、突起ｔの長さτを鉱物塊３２の直径の２分の１としているが、この程度であれば、鉱物塊３２を固形石鹸３１に固着させる作用は充分に期待でき、さらに固形石鹸３１のサイズが当初の３分の１になるまで消尽しても、突起ｔ、ｔ、…が固形石鹸３１の表面から突出してくることはない。
【００４４】
図８には、素材として硬質の合成樹脂を用いた担持枠３４の平面図を示
す。担持枠３４は、夫々が１個の突起ｔを有する同形同大の８個のパーツＰ、Ｐ、…から構成されており、各パーツＰの側面Ｐｓに突設された突起Ｐｔを隣り合うパーツＰの側面Ｐｓに穿設された凹部Ｐｕに嵌着させることにより、担持枠３３と同様の形態が形成される。
【００４５】
担持枠３４は、分離状態のパーツＰ、Ｐ、…の中心に鉱物塊３２を置
いて、各パーツＰの側面Ｐｓの突起Ｐｔを隣り合うパーツＰの側面Ｐｓの凹部Ｐｕに嵌着させることにより、担持枠３４の内部に鉱物塊３２を嵌着固定するものである。鉱物塊３２を担持枠３４から脱抜する場合には、各パーツＰの側面Ｐｓの突起Ｐｔを隣り合うパーツＰの側面Ｐｓの凹部Ｐｕから脱抜させ、パーツＰ、Ｐ、…を分離させることにより、鉱物塊３２は自然に担持枠３４から脱落する。
【実施例４】
【００４６】
図９ａ〜図９ｈに、実施例４の鉱物塊入り固形石鹸４１〜４８を示す。図９ａ〜図９ｈはすべて平面形状を示しているが、当然相応の厚さを有するものである。
【００４７】
図９ａ〜図９ｄに示す鉱物塊入り固形石鹸４１〜４４は、平面形状が多角形状の固形石鹸を用いるもので、解決手段５に記載の発明の１実施例である。
【００４８】
図９ａに示す鉱物塊入り固形石鹸４１は、平面形状が長方形状の固形石鹸４１ａの中心に穿設された孔４１ｄに鉱物塊４１ｂを嵌着したもので、孔４１ｄの上部周囲には皿状の凹部４１ｃが形成されている。同様の凹部は、図示しないが孔４１ｄの下部周囲にも形成されている。
【００４９】
図９ｂに示す鉱物塊入り固形石鹸４２は、平面形状が菱型状の固形石鹸４２ａの中心に穿設された孔４２ｄに鉱物塊４２ｂを嵌着したもので、孔４２ｄの上部周囲には皿状の凹部４２ｃが形成されている。同様の凹部は、図示しないが孔４２ｄの下部周囲にも形成されている。
【００５０】
図９ｃに示す鉱物塊入り固形石鹸４３は、平面形状が３角形状の固形石鹸４３ａの中心に穿設された孔４３ｄに鉱物塊４３ｂを嵌着したもので、孔４３ｄの上部周囲には皿状の凹部４３ｃが形成されている。同様の凹部は、図示しないが孔４３ｄの下部周囲にも形成されている。
【００５１】
図９ｄに示す鉱物塊入り固形石鹸４４は、平面形状が５角形状の固形石鹸４４ａの中心に穿設された孔４４ｄに鉱物塊４４ｂを嵌着したもので、孔４４ｄの上部周囲には皿状の凹部４４ｃが形成されている。同様の凹部は、図示しないが孔４４ｄの下部周囲にも形成されている。
【００５２】
図９ｅに示す鉱物塊入り固形石鹸４５は、平面形状が５本の突起を持つ星型の固形石鹸４５ａの中心に穿設された孔４５ｄに鉱物塊４５ｂを嵌着したもので、孔４５ｄの上部周囲には皿状の凹部４５ｃが形成されている。同様の凹部は、図示しないが孔４５ｄの下部周囲にも形成されている。なお、固形石鹸４５の平面形状を、６本以上の突起を持つ星型、４本の突起を持つ十字型等とすることも可能である。
【００５３】
図９ｆに示す鉱物塊入り固形石鹸４６は、平面形状がハート型の固形石鹸４６ａの中心に穿設された孔４６ｄに鉱物塊４６ｂを嵌着したもので、孔４６ｄの上部周囲には皿状の凹部４６ｃが形成されている。同様の凹部は、図示しないが孔４６ｄの下部周囲にも形成されている。なお、固形石鹸４６の平面形状を、トランプのスペード型やクラブ型等とすることも可能である。
【００５４】
図９ｇに示す鉱物塊入り固形石鹸４７は、平面形状が卵型の固形石鹸４７ａの中心に穿設された孔４７ｄに鉱物塊４７ｂを嵌着したもので、孔４７ｄの上部周囲には皿状の凹部４７ｃが形成されている。同様の凹部は、図示しないが孔４７ｄの下部周囲にも形成されている。
【００５５】
図９ｈに示す鉱物塊入り固形石鹸４８は、平面形状が蛇がとぐろを巻いた形態の固形石鹸４８ａの中心に穿設された孔４８ｄに鉱物塊４８ｂを嵌着したもので、孔４８ｄの上部周囲には皿状の凹部４８ｃが形成されている。同様の凹部は、図示しないが孔４８ｄの下部周囲にも形成されている。なお、固形石鹸４８の平面形状を、ウサギやイノシシ等の十二支の動物やその他の動物や昆虫、魚類等の形態、あるいは植物の形態、または各種の器物の形態（例えば自動車等）とすることも可能である。
【産業上の利用可能性】
【００５６】
本発明は、固形石鹸に鉱物塊を埋設してなるものであるので、固形石鹸自体の成分は問わない。したがって、固形石鹸に水晶やトルマリンやゲルマニウムの粉末が含まれていても良く、各種薬用成分や香料やハーブ類が含まれていても構わない。すなわち、固形石鹸自体の組成には関係なく、固形石鹸に鉱物塊を埋設してなる鉱物塊入り固形石鹸であればすべて本発明の範疇に含まれるものである。
【００５７】
また、本発明においては、固形石鹸が消尽された後は、埋設されていた鉱物塊そのものを装飾品として利用することができるのも大きな特徴である。すなわち、複数の鉱物塊を透明グラスや透明ボトルに入れて部屋の飾りとして楽しんだり、ペンダントやネックレスやカフスボタン等に加工して用いることもできる。このように、本発明は、固形石鹸として用いた後、鉱物塊そのものを装飾品として半永久的に楽しむことができるものである。
【図面の簡単な説明】
【００５８】
【図１】（ａ）本発明の実施例１の鉱物塊入り固形石鹸の平面図である。（ｂ）本発明の実施例１の鉱物塊入り固形石鹸の正面図である。
【図２】図１ａのＡ−Ａ線縦断面図である。
【図３】本発明の実施例１の鉱物塊入り固形石鹸の外観斜視図である。
【図４】（ａ）本発明の実施例２の鉱物塊入り固形石鹸の平面図である。（ｂ）本発明の実施例２の鉱物塊入り固形石鹸の外観斜視図である。
【図５】（ａ）本発明の実施例３の鉱物塊入り固形石鹸の平面図である。（ｂ）本発明の実施例３の鉱物塊入り固形石鹸の担持枠の平面図である。
【図６】図５ａのＢ−Ｂ線縦断面図である。
【図７】本発明の実施例３の鉱物塊入り固形石鹸の担持枠の一部を欠截した外観斜視図である。
【図８】本発明の実施例３の鉱物塊入り固形石鹸の担持枠の別の形態を示す説明図である。
【図９】（ａ）本発明の実施例４の鉱物塊入り固形石鹸の１形態の平面形状を説明する説明図である。    （ｂ）本発明の実施例４の鉱物塊入り固形石鹸の１形態の平面形状を説明する説明図である。    （ｃ）本発明の実施例４の鉱物塊入り固形石鹸の１形態の平面形状を説明する説明図である。    （ｄ）本発明の実施例４の鉱物塊入り固形石鹸の１形態の平面形状を説明する説明図である。    （ｅ）本発明の実施例４の鉱物塊入り固形石鹸の１形態の平面形状を説明する説明図である。    （ｆ）本発明の実施例４の鉱物塊入り固形石鹸の１形態の平面形状を説明する説明図である。    （ｇ）本発明の実施例４の鉱物塊入り固形石鹸の１形態の平面形状を説明する説明図である。    （ｈ）本発明の実施例４の鉱物塊入り固形石鹸の１形態の平面形状を説明する説明図である。
【符号の説明】
【００５９】
１      鉱物塊入り固形石鹸
１１    固形石鹸
１２    鉱物塊
１３    孔
１３ａ  上辺
１３ｂ  下辺
２      鉱物塊入り固形石鹸
２１    固形石鹸
２２    鉱物塊
２３ａ  孔
２３ｂ  凹部
３      鉱物塊入り固形石鹸
３１    固形石鹸
３１ａ  孔
３２    鉱物塊
３３    担持枠
３３ａ  本体
３３ｂ  内側壁
３３ｃ  上辺
３３ｄ  下辺
３４    担持枠
４１    鉱物塊入り固形石鹸
４１ａ  固形石鹸
４１ｂ  鉱物塊
４１ｃ  凹部
４１ｄ  孔
４２    鉱物塊入り固形石鹸
４２ａ  固形石鹸
４２ｂ  鉱物塊
４２ｃ  凹部
４２ｄ  孔
４３    鉱物塊入り固形石鹸
４３ａ  固形石鹸
４３ｂ  鉱物塊
４３ｃ  凹部
４３ｄ  孔
４４    鉱物塊入り固形石鹸
４４ａ  固形石鹸
４４ｂ  鉱物塊
４４ｃ  凹部
４４ｄ  孔
４５    鉱物塊入り固形石鹸
４５ａ  固形石鹸
４５ｂ  鉱物塊
４５ｃ  凹部
４５ｄ  孔
４６    鉱物塊入り固形石鹸
４６ａ  固形石鹸
４６ｂ  鉱物塊
４６ｃ  凹部
４６ｄ  孔
４７    鉱物塊入り固形石鹸
４７ａ  固形石鹸
４７ｂ  鉱物塊
４７ｃ  凹部
４７ｄ  孔
４８    鉱物塊入り固形石鹸
４８ａ  固形石鹸
４８ｂ  鉱物塊
４８ｃ  凹部
４８ｄ  孔
Ｐ      パーツ
Ｐｓ    側面
Ｐｔ    突起
Ｐｕ    凹部
ｔ      突起
τ      長さ
【図１】
2006328283.tif 000003
【図２】
2006328283.tif 000004
【図３】
2006328283.tif 000005
【図４】
2006328283.tif 000006
【図５】
2006328283.tif 000007
【図６】
2006328283.tif 000008
【図７】
2006328283.tif 000009
【図８】
2006328283.tif 000010
【図９】
2006328283.tif 000011